(57)【要約】  履物用中敷きまたはフットストラップは、きのこ状構造体が突出する平坦な支持要素を備えている。空気循環通路がこの構造体の間に形成されている。中敷きは、良好な足の通気を保証する。
2010532197.tif 000002
【特許請求の範囲】
【請求項１】
きのこ状の構造体（１４）が突出する平坦な支持要素（１２）を備えていることを特徴とする履物用中敷きまたはフットストラップ（１０）。
【請求項２】
構造体は、平坦な要素に向って先細であり、平坦な要素の一部をなし、その端部に頭部（１８）が大きな幅を有して存在する脚部（１６）を備えていることを特徴とする請求項１に記載の履物用中敷きまたはフットストラップ（１０）。
【請求項３】
脚部は、円錐台形の形状および凹面形のプロフィールを有することを特徴とする請求項２に記載の履物用中敷きまたはフットストラップ（１０）。
【請求項４】
頭部は、基部の寸法より低い高さの実質的に正平行六面体の形状を有することを特徴とする請求項２または３に記載の履物用中敷きまたはフットストラップ（１０）。
【請求項５】
構造体の頭部は、全体で支持面（５０）を作り、且つ、該面と平坦な要素との間に空の空間（２６）を画定するように、配列されていることを特徴とする請求項２〜４のいずれかに記載の履物用中敷きまたはフットストラップ（１０）。
【請求項６】
頭部は、２つの隣接する頭部の間に前記空の空間に連通する開口（２１）を形成するために、そこに凹部（２０）を有する短辺（Ｌ２）を有することを特徴とする請求項５に記載の履物用中敷きまたはフットストラップ（１０）。
【請求項７】
構造体は、平行な列に配列されていることを特徴とする請求項１〜６のいずれかに記載の履物用中敷きまたはフットストラップ（１０）。
【請求項８】
列は、１つの列の構造体が別の列の構造体とずれる方法で配列されていることを特徴とする請求項６に記載の履物用中敷きまたはフットストラップ（１０）。
【請求項９】
１列の構造体各々は、該列に直角の方向（Ｙ）に沿って、隣接しない列の対応する構造体と一線上に揃えられていることを特徴とする請求項７に記載の履物用中敷きまたはフットストラップ（１０）。
【請求項１０】
支持要素は、２つの隣接する構造体の脚部の間に作られた貫通孔（２４）を備えていることを特徴とする請求項１〜９のいずれかに記載の履物用中敷きまたはフットストラップ（１０）。
【請求項１１】
支持要素は、構造体の反対側の面に作られた軽減用くぼみ（２８）を備えていることを特徴とする請求項１〜１０のいずれかに記載の履物用中敷きまたはフットストラップ（１０）。
【請求項１２】
貫通孔（２４）の端部とくぼみ（２８）との間に微細な溝（６０）を備えていることを特徴とする請求項１０または１１に記載の履物用中敷きまたはフットストラップ（１０）。
【発明の詳細な説明】
【技術分野】
【０００１】
本発明は、履物の中敷きまたはフットストラップ（foot-strap）に関する。
【背景技術】
【０００２】
今日、靴底と足と接触する内部中敷きとの間に挿入される履物用、特に、運動靴用中敷きが一般的に知られている。これらの中敷きは、足の通気を改善し、運動中の衝撃を吸収するように作用する。
【０００３】
本出願人による特許文献１には、熱可塑性エラストマー（ＳＥＢＳ）の２つの層からなる中敷きが記載されている。下の層は、直角に配列される細片の網からなる第２の層を支持する浮き彫り状の長い骨組みを有する。細片が互いに交差する一定の間隔において、第２の層を貫通する貫通孔が存在する。一緒に置かれると、２つの層は、層間の部位に長手方向の溝を形成する。
【０００４】
このような構成を有する中敷きは、履物の内側で良好な通気を保証するが、縦方向の通路（channels）の方向にのみに限られる。
【０００５】
別の中敷きが特許文献２に記載されている。これは、穴を開けられた上の層と互いに直角に配列された溝（grooves）を有する下の層からなっている。空気が溝に沿って押し出される。しかしながら、大部分の溝が縦方向であるという事実により、溝が効率を制限してきた。このことが上の層に対する正しい支持点を排除するので、溝の数をさらに増やすことができない。
【０００６】
特許文献３には、中央空洞部及び横方向の通気口を有するさらに別の中敷きが提案されている。中敷により占有される体積により、特に、縁部に沿って、空気の再循環が制限される。
【先行技術文献】
【特許文献】
【０００７】
【特許文献１】ＴＶ２００４Ｕ０００、０１７号実用新案特許明細書
【特許文献２】英国特許第２、２５０、４１７号明細書
【特許文献３】米国特許第６、３０５、１００号明細書
【発明の概要】
【発明が解決しようとする課題】
【０００８】
本発明の基本的目的は、良好な通気性を与えることができる種々の中敷きを提供することにある。
【課題を解決するための手段】
【０００９】
これらの目的及びその他の目的は、きのこ状構造体（formation）が突出する平坦な支持要素を備えることを特徴とする履物用中敷きにより達成される。
【００１０】
したがって、空の空間が支持要素ときのこ状構造体との間に作り出され、さらに、該空間は、より軽量の中敷きを作るために作り出される。当該空間は、また、絶縁クッション（an insulating cushion）を作り出すばかりでなく、空気用通路を形成する。したがって、生成される汗は、通路により該通路内に集められ、次に、中敷きが柔軟である場合に、すなわち、中敷きがゴムまたはプラスチック材料、好ましくは、ＳＥＢＳ、ＳＥＥＢＳまたはＥＢＳで作ることにより得られる自然の作用によりあるいはポンプ効果により中敷きから排出される。
【００１１】
きのこ状構造体は、平坦な要素に向って先細になり、平坦な要素の一部をなす脚部を備えることが好ましい。頭部は、脚部の端部に取り付けられ、脚部の幅より大きい幅を有し、及び／または平坦であることが好ましい。この構成は、中敷きの中実の体積と空の体積の比率を最適化し、特に、脚部が円錐状台形であり、且つ凹形のプロフィール（profile）を有する場合、通路を通る空気の通過をかなり容易にする。
【００１２】
好ましい実施態様は、構造体の頭部が基部の寸法より低い高さを持つ実質的に正平行六面体の形状を有することを提供する。実際に、頭部は薄い板体である。
【００１３】
構造体の頭部は、それらがすべて一緒になって支持面を形成し、支持面と平坦な要素との間の中空の空間を画定するように配列されていることが好ましい。平坦な構成のため、中敷きは、履物の中に容易に挿入され得る。
【００１４】
支持面に対して直角の方向への空気の対流及び移送を増大させるために、頭部の基部（または、設備）は、中敷きの内側で空の空間に連通し、且つ、通路内の空気が出るかまたは循環することができる、２つの隣接する頭部の間に開口を形成するように、凹部を含む短い辺を有している。
【００１５】
構造体は、より容易に製造され、見た目をより良くするために、平行な列に並べられることが好ましい。列は、先細の脚部間に形成される通路の区域を増大させるために、１つの列にある構成部品が隣接する列の構成部品に対してずれるように配列されることが有利である。列の各構造体が、それが属する列に直角な方向に沿って、隣接しない列、例えば、直接隣接した列のまさに次の列の対応する構造体と整列される場合、効果的な配置が得られる。したがって、この場合、通路は、構造体の列に対して３０°と７０°の間の角度をなして傾斜し、中敷きの表面に沿って周期的な構造を有する。
【００１６】
中敷きの換気量をさらにもっと増大させるために、支持面は、２つの隣接する構造体の脚部の間に施される貫通孔を含み得る。したがって、構成部品間の通路は、空気用の別の出口を提供する。
【００１７】
支持面は、また、構造体の反対側の面に軽減用凹部を備え得る。
【００１８】
本発明の形態及び利点は、添付された図面を参照しつつ、例として分かり易く提供される以下の記載からさらに明らかにされるだろう。
【図面の簡単な説明】
【００１９】
【図１】本発明に係る中敷の上面図である。
【図２】図１に示されるＡで参照される細部の拡大図である
【図３】図１に示される中敷きの底面図である。
【図４】図３に示されるＢで参照される細部の拡大図である。
【図５】図１のＶ−Ｖ面に従う中敷きの断面図である。
【図６】図５に示されるＣで参照される細部の拡大図である。
【発明を実施するための形態】
【００２０】
全ての図において、数字１０は、きのこ形状を有する同一の構造体（または構造物）１４が直角に（Ｚ軸に沿って）突出する平坦な支持要素（または支持面、または支持層）１２を備える中敷き構造体を特定する。構造体１４は、平坦な要素１２に向って先細になり、その自由端に平坦な頭部１８を有する脚部１６（図６参照）から構成される。脚部１６は、同じ長さを有し、頭部１８は、同一平面状にある。したがって、頭部は、図５において５０で示される支持面を形成する。
【００２１】
構造体の周期性を前提として、単純化するために、若干の要素のみが示されている。図５及び６に示されるように、脚部１４は、実質的に円錐台形であり、小さな基部が平坦な要素１２の一部をなしており、脚部１４は、（断面で）凹面で且つ湾曲したプロフィールを有している。
【００２２】
頭部１８は、基部の寸法より低い高さＨＴを持つ、実質的に正平行六面体の形状を有し、寸法がＬ１及びＬ２である辺を有する。
【００２３】
好ましい値は、０．５ｍｍ＜ＨＴ＜２ｍｍ、５ｍｍ＜Ｌ１＜１０ｍｍ、４ｍｍ＜Ｌ２＜８ｍｍである。頭部１８の平面は、概ね長方形の形状を有する。頭部１８は、短辺それぞれに２つの小さな突出歯２２が形成されるように、短辺の各々に凹部２０を有する（このようにして、結果として生ずる平面は、文字“Ｈ”に類似する）。凹部２０は、２つの頭部１８の間で約２倍の幅を有する開口２１を画定するように、０．５ｍｍと２ｍｍとの間の深さＱを有することが好ましい（図４参照）。歯２２の端部は、同じ列にある頭部１８に対して最も近い頭部の部分である。２つの頭部１８の歯２２間の距離Ｄは、約０．２−１ｍｍである。
【００２４】
図１ないし４に示されるように、構造体１４は、平行な列（Ｘ方向）に整列するように配列される。各列は、それぞれの構造体１４が他の列の構造体に関してずれるように配列されている。特に、ある列の構造体１４は、（Ｘ方向に配列されている）列に直角のＹ方向に沿っても２つずつ整列するように配列されている。したがって、また、ある列の各頭部１８は、Ｙ方向に沿って、２つに１つ別の列に（Ｘ方向に沿って同じ位置に）対応する頭部を有する。
【００２５】
図１及び２は、平坦な要素１２が２つの隣接する構造体１４の中間に得られる、楕円形または円形形状を有する貫通孔２４を含むことを示している。言い換えると、孔２４は、先細になっている４つの本体１６により囲まれている空の空間２６の、平坦な要素１２と頭部１８により制限されている空間である中敷き１０の内部内に開口している。当該空間２６は、先細の本体１６の周囲に形成されている空洞部のおかげで同一の隣接する空間と連通しており、したがって、中敷き１０の内部は、全体にわたって、Ｘ方向に対して角度αをなす準線Ｗ（directrixes W）に沿って延びる通路の通常のネット（a regular net）が図らずも走っている。記載される構成部品の相対的大きさや配列にしたがって、αは、３０°と７０°との間で変化し得る。図３は、互いに交差する２つの通路に関連する２つの準線Ｗを示している。
【００２６】
要素１２は、各列の最後の頭部１８がその一部をなす周囲縁１１を備える。水平な貫通孔が、縁１１に作り出され、内部通路に連通し得る。このことは、中敷き１０からの空気の排出をかなり改善する。周囲隆起部１３が周囲縁１１を取り囲んで作り出される。
【００２７】
中敷き１０は、足の裏（図１の点線Ｐ参照）の形状を呈するように切断され／形作られ得る。あるいは、中敷き１０は、Ｐで示されるような形状を有するように直接形成され得るが、端部が取り囲まれることはない。この場合、その下方部分がきのこ状の構造体のみからなることになるので、内部通路は全て、中敷きの側面上に開口する。
【００２８】
構造体１４の反対側の面上に、平坦な要素１２は、（本明細書では、菱形の形状を有する）軽減用凹部２８のみならず穴２４の端部と凹部２８との間に（例えば、０．２ｍｍと１ｍｍとの間の幅及び０．４ｍｍと２ｍｍとの間の深さを有する）微細な溝６０を有する。微細な溝６０は、中敷き１０の内側の空気の循環を改善する。
【００２９】
全体的に見ると、本発明は、空気の循環を改善するという目的を達成していることは明白である。通路に沿って且つ足から離れて空気及び汗を移送するための足の下の通路ネットの容量が増大し、開口２１により向上される。
【００３０】
その他の重要な利点は、構造体１４により形成される通路が、全体にわたって絶縁空気クッションを提供するということにある。要素１２と頭部１８との間の空の空間は、（特に、運動靴または極めてタフな行動用に使用される履物において）地上から来る熱から要素１２上にある足を防護する極めて効率的な熱絶縁体のようになる。
【００３１】
中敷き１０は、一体成形で成形されることにより製造されるように考えられることが有利である。
【００３２】
その他の変形は、例えば、脚部の形状（先細または先細ではない三角柱、三角錐の形状など）、頭部の形状（球状、球面状、卵形など）ばかりでなく要素の大きさを変えることにより作り出され得る。これらの変更は、中敷きの内部通路に関して異なる構造体を形成し、それらを特定の履物に適合し得る。
【図１】
2010532197.tif 000003
【図２】
2010532197.tif 000004
【図３】
2010532197.tif 000005
【図４】
2010532197.tif 000006
【図５】
2010532197.tif 000007
【図６】
2010532197.tif 000008
【手続補正書】
【提出日】平成22年6月18日(2010.6.18)
【手続補正１】
【補正対象書類名】明細書
【補正対象項目名】０００１
【補正方法】変更
【補正の内容】
【０００１】
本発明は、履物の中敷きまたは靴の中敷きに関する。
【手続補正２】
【補正対象書類名】特許請求の範囲
【補正対象項目名】全文
【補正方法】変更
【補正の内容】
【特許請求の範囲】
【請求項１】
きのこ状の構造体（１４）が突出する平坦な支持要素（１２）を備え、
各構造体は、平坦な要素に向って先細であり、平坦な要素の一部をなし、その端部に頭部（１８）が大きな幅を有して存在する脚部（１６）を備え、
脚部は、円錐台形の形状および凹面形のプロフィールを有し、
構造体の頭部は、全体で支持面（５０）を作り、且つ、該面と平坦な要素との間に空の空間（２６）を画定するように、配列されており、
支持要素は、２つの隣接する構造体の脚部の間に作られた貫通孔（２４）を備えていることを特徴とする履物用中敷き（１０）。
【請求項２】
頭部は、基部の寸法より低い高さの実質的に正平行六面体の形状を有することを特徴とする請求項１に記載の履物用中敷き（１０）。
【請求項３】
頭部は、２つの隣接する頭部の間に前記空の空間に連通する開口（２１）を形成するために、そこに凹部（２０）を有する短辺（Ｌ２）を有することを特徴とする請求項２に記載の履物用中敷き（１０）。
【請求項４】
構造体は、平行な列に配列されていることを特徴とする請求項１〜３のいずれかに記載の履物用中敷き（１０）。
【請求項５】
列は、１つの列の構造体が別の列の構造体とずれる方法で配列されていることを特徴とする請求項４に記載の履物用中敷き（１０）。
【請求項６】
１列の構造体各々は、該列に直角の方向（Ｙ）に沿って、隣接しない列の対応する構造体と一線上に揃えられていることを特徴とする請求項４に記載の履物用中敷き（１０）。
【請求項７】
支持要素は、構造体の反対側の面に作られた軽減用くぼみ（２８）を備えていることを特徴とする請求項１〜６のいずれかに記載の履物用中敷き（１０）。
【請求項８】
貫通孔（２４）の端部とくぼみ（２８）との間に微細な溝（６０）を備えていることを特徴とする請求項７に記載の履物用中敷き（１０）。
【国際調査報告】
2010532197.tif 000009
2010532197.tif 000010
2010532197.tif 000011